(57)【要約】【課題】画像形成装置に装着されるプロセスカートリッジ上のＲＦＩＤ（メモリ）に対しては、電気的ノイズへの対策を施すことが望ましい。【解決手段】画像形成が電子写真方式で行われる場合、プロセスカートリッジ５０には金属を用いて作られ、画像形成工程に使用されるドラム状の感光体６０が含まれる。そこでＲＦＩＤ５４を、ノイズ源からみて感光体の背後となる位置にとりつける。ノイズ源としては、感光体を帯電させる帯電器５２や、感光体表面の静電潜像を現像する現像ローラ７８などが挙げられる。【選択図】図２
2006084988.tif 000002
【特許請求の範囲】
【請求項１】
電子写真方式に基づく画像形成装置に装着されるプロセスカートリッジにおいて、
金属を用いて作られ、画像形成工程に使用されるドラム状の感光体と、
外部からアクセス可能に設定され、画像形成時に電気的ノイズを発生するノイズ源からみて感光体の背後側であって感光体以外の箇所に設けられたメモリと、
を備える、ことを特徴とするプロセスカートリッジ。
【請求項２】
請求項１に記載のプロセスカートリッジであって、
感光体と連携した画像形成工程に使用される少なくとも一つの電気的機能部材を備え、
ノイズ源は、少なくとも一つの電気的機能部材である、ことを特徴とするプロセスカートリッジ。
【請求項３】
請求項２に記載のプロセスカートリッジであって、
電気的機能部材には、感光体を帯電させる帯電器が含まれ、
ノイズ源は、この帯電器である、ことを特徴とするプロセスカートリッジ。
【請求項４】
請求項２に記載のプロセスカートリッジであって、
電気的機能部材には、感光体上の静電潜像を電磁力を利用してトナー現像する現像部を備え、
ノイズ源は、この現像部である、ことを特徴とするプロセスカートリッジ。
【請求項５】
請求項２に記載のプロセスカートリッジであって、
ノイズ源である少なくとも一つの電気的機能部材は、感光体に隣接して設けられ、
メモリは、この電気的機能部材から感光体の周方向に略９０度以上回転した位置に設けられる、ことを特徴とするプロセスカートリッジ。
【請求項６】
請求項１に記載のプロセスカートリッジであって、
ノイズ源は、画像形成装置に設けられた電気機器であり、
メモリは、当該プロセスカートリッジを画像形成装置に装着した際に、このノイズ源からみて感光体の背後側であって感光体以外の箇所に設けられる、ことを特徴とするプロセスカートリッジ。
【請求項７】
請求項６に記載のプロセスカートリッジであって、
画像形成装置には、当該プロセスカートリッジの装着時に感光体を回転駆動する駆動源が設けられ、
ノイズ源は、この駆動源である、ことを特徴とするプロセスカートリッジ。
【請求項８】
請求項６に記載のプロセスカートリッジであって、
感光体を帯電する帯電器または感光体上の静電潜像を電磁力を利用してトナー現像する現像部を備え、
画像形成装置には、当該プロセスカートリッジの装着時に帯電器または現像器に対して電力供給するための電源が設けられ、
ノイズ源は、この電源である、ことを特徴とするプロセスカートリッジ。
【請求項９】
請求項６に記載のプロセスカートリッジであって、
画像形成装置には、画像形成用の画像データを生成する原稿読取装置、画像形成を行うための用紙を搬送する用紙搬送装置、画像が形成された用紙に後処理を施す後処理装置の少なくとも一つの電気機器が含まれ、
ノイズ源は、これらの電気機器の少なくとも一つである、ことを特徴とするプロセスカートリッジ。
【請求項１０】
請求項１乃至９のいずれか１項に記載のプロセスカートリッジにおいて、
メモリに接続されたアンテナを備え、このメモリとアンテナは無線により外部通信可能なＲＦＩＤを構成している、ことを特徴とするプロセスカートリッジ。
【請求項１１】
請求項１０に記載のプロセスカートリッジにおいて、
メモリとアンテナは近接して配置され、アンテナもノイズ源からみて感光体の背後側であって感光体以外の箇所に設けられる、ことを特徴とするプロセスカートリッジ。
【請求項１２】
請求項１に記載のプロセスカートリッジが装着される画像形成装置であって、
ノイズ源が動作していないことを検知する検知手段と、
検知手段の検知結果に基づいて、少なくとも一部のノイズ源が動作していない期間に装着されたプロセスカートリッジのメモリ部材と通信を行う通信手段と、を備える、ことを特徴とする画像形成装置。
【発明の詳細な説明】
【技術分野】
【０００１】
本発明は、プロセスカートリッジに取り付けたメモリについてのノイズ対策技術に関する。
【背景技術】
【０００２】
複写機やプリンタなどの画像形成装置においては、一般に、画像形成工程の一部は装置に装着されるプロセスカートリッジを用いて実施される。そして、このプロセスカートリッジには、しばしば、メモリが取り付けられ、プロセスカートリッジの情報管理等に利用されている。
【０００３】
下記特許文献１には、奥行き方向に細長いプロセスカートリッジの奥行き方向中央付近にメモリを配置する構成が開示されている。これにより、画像形成装置の奥側に設けられる機器との距離を保ち、電子ノイズの影響を低減している。下記特許文献２には、電子写真方式に用いられる感光体にメモリを取り付ける位置として、現像手段の接続部と反対側の端面付近に設けられたフランジ部を採用することで、ノイズレベルを低下させる技術が開示されている。下記特許文献３には、プロセスーカットリッジと通信する画像形成装置のアンテナの周囲に導電部材を設けることで、通信における電気的影響を減らす技術が開示されている。
【０００４】
【特許文献１】特開２００２−７２８２３号公報
【特許文献２】特開２００１−１１７３０９号公報
【特許文献３】特開２００２−７２７８２号公報
【発明の開示】
【発明が解決しようとする課題】
【０００５】
メモリから情報を読み込んだり、メモリに対し情報を書き込んだりする場合には、誤認識や読み書きの不良等の障害を回避するように注意する必要がある。電気的ノイズは、このような障害を引き起こす大きな要因である。しかし、電気的ノイズを避けるためになされた上記特許文献１，２の技術は、ノイズ源からの距離を十分とるというものである。しかし、これでは、画像形成装置やプロセスカートリッジの設計自由度が狭められ、好ましくない。
【０００６】
本発明の目的は、プロセスカートリッジに取り付けられたメモリを電気的ノイズから保護することにある。
【０００７】
本発明の別の目的は、プロセスカートリッジに取り付けられたメモリに対する読み込み又は書き込みの信頼性を向上させることにある。
【０００８】
本発明の別の目的は、プロセスカートリッジに含まれる金属性の感光体を利用して、電気的ノイズからメモリを遮蔽することにある。
【課題を解決するための手段】
【０００９】
本発明のプロセスカートリッジは、電子写真方式に基づく画像形成装置に装着されるプロセスカートリッジであって、金属を用いて作られ、画像形成工程に使用されるドラム状の感光体と、外部からアクセス可能に設定され、画像形成時に電気的ノイズを発生するノイズ源からみて感光体の背後側であって感光体以外の箇所に設けられたメモリと、を備える。
【００１０】
画像形成装置は、用紙（紙や樹脂シート等を指す）に電子データに基づいて画像を形成する装置である。具体的にはプリンタや、プリンタ機能を備えた機器としての複写機、ファクシミリ等がこれに相当する。プロセスカートリッジは、一連の画像形成工程のうちの一部を実施するものであり、画像形成装置に着脱可能に装着される。この画像形成は電子写真方式で行われる。金属を使用して作られたドラム状の感光体は、この方式における画像形成の中核となる部材である。
【００１１】
プロセスカートリッジには、メモリ、すなわちＩＣチップ等の半導体記憶装置が取り付けられている。メモリに対しては、外部から有線あるいは無線を通じてアクセスすることができる。このメモリは、ノイズ源からみて感光体の背後となる位置に設けられている。つまり、ノイズ源とメモリとを直線的に結んだ途上には、感光体の金属が存在するように配置されている。
【００１２】
この構成によれば、プロセスカートリッジに設けられたメモリは、感光体によって電気的ノイズから保護される。ノイズが作る電磁場の回り込み現象等によるメモリへの影響も考えられるが、少なくとも、感光体によって保護されない場合に比べ、メモリの記憶状態の安定性や、メモリに対するアクセスの信頼性が高められる。
【００１３】
望ましくは、本発明のプロセスカートリッジは、感光体と連携した画像形成工程に使用される少なくとも一つの電気的機能部材を備え、ノイズ源は、少なくとも一つの電気的機能部材である。電気的機能部材とは、感光体と連携してある画像形成工程に用いられる部品群、すなわち画像形成に寄与するある機能を実現するためのまとまった構成単位のうち、電力の供給を受けて処理を行う構成を指す。
【００１４】
プロセスカートリッジは、電気的機能部材として、感光体を帯電させる帯電器を含む場合がある。帯電器は電力の供給を受けて感光体を帯電させるため、電気的ノイズを発生させやすい。そこで、帯電器をノイズ源として扱うことは有効である。また、プロセスカートリッジは、電気的機能部材として、感光体上の静電潜像を電磁力を利用してトナー現像する現像部を備える場合がある。現像部は電磁石を備えており、電気的ノイズを発生させやすい。そこで、現像部をノイズ源として扱うことも有効である。
【００１５】
望ましくは、本発明のプロセスカートリッジにおいては、ノイズ源である少なくとも一つの電気的機能部材は、感光体に隣接して設けられ、メモリは、この電気的機能部材から感光体の周方向に略９０度以上回転した位置に設けられる。感光体や電気的機能部材の大きさにもよるが、９０度程度以上離れれば電波的に遮蔽されることが期待できる。遮蔽効果を高める為には、１８０度に近づければよい。また、ドラムの軸方向の位置は、同じ（軸方向に長い場合は重複する位置）であっても離れていてもよいが、離れている方が、ノイズの影響は小さくなる。ただし、配置の都合等によっては、距離や角度を十分にとることが困難な場合もある。このような場合に、少なくとも９０度程度離すことで遮蔽が可能となる本発明を採用する利点は大きい。
【００１６】
望ましくは、本発明のプロセスカートリッジにおいては、ノイズ源は、画像形成装置に設けられた電気機器であり、メモリは、当該プロセスカートリッジを画像形成装置に装着した際に、このノイズ源からみて感光体の背後側であって感光体以外の箇所に設けられる。画像形成装置には、当該プロセスカートリッジの装着時に感光体を回転駆動する駆動源が設けられてもよく、この場合に、ノイズ源は、この駆動源であってもよい。また、感光体を帯電する帯電器又は感光体上の静電潜像を電磁力を利用してトナー現像する現像部を備え、画像形成装置に、当該プロセスカートリッジの装着時に帯電器または現像器に対して電力供給するための電源が設けられる場合には、ノイズ源は、この電源であってもよい。さらには、画像形成装置には、画像形成用の画像データを生成する原稿読取装置、画像形成を行うための用紙を搬送する用紙搬送装置、画像が形成された用紙に後処理を施す後処理装置の少なくとも一つの電気機器が含まれていてもよく、この場合に、ノイズ源は、これらの電気機器の少なくとも一つであってもよい。
【００１７】
望ましくは、本発明のプロセスカートリッジにおいては、メモリに接続されたアンテナを備え、このメモリとアンテナは無線により外部通信可能なＲＦＩＤ（Radio Frequency IDentification）を構成している。望ましくは、本発明のプロセスカートリッジにおいては、メモリとアンテナは近接して配置され、アンテナもノイズ源からみて感光体の背後側であって感光体以外の箇所に設けられる。ノイズの波長によっては、アンテナはノイズの影響を強く受ける。そこで、アンテナもメモリと同様に感光体によってノイズから遮蔽することとした。
【００１８】
本発明の画像形成装置は、前記プロセスカートリッジが装着される画像形成装置であって、ノイズ源が動作していないことを検知する検知手段と、検知手段の検知結果に基づいて、少なくとも一部のノイズ源が動作していない期間に装着されたプロセスカートリッジのメモリ部材と通信を行う通信手段と、を備える。例えば、全てのノイズ源が動作していない期間に通信を行うといった態様をとることも可能である。
【発明を実施するための最良の形態】
【００１９】
以下に、電子写真方式の画像形成装置の例を挙げて、本発明の実施の形態を説明する。
【００２０】
図１は、プリンタシステム１０を模式的に示す図である。図においては、実施の形態に係る主要な構成の概略のみを示している。プリンタシステム１０は、画像形成装置としてのプリンタ２０と、これに装着されたプロセスカートリッジ５０とを含んでいる。プリンタ２０は、筐体を有しており、その内部には、電源２２、駆動部２４、アンテナ２６、制御部２８などが取り付けられている。電源２２は、外部電源に接続されて電気を受け取り、必要に応じて電圧変換や周波数変換をして各構成に供給する。駆動部２４は、プロセスカートリッジ５０等を回転駆動させる駆動機構の駆動源である。駆動部２４には、モータが設けられており、その回転出力によって各構成は回転駆動されている。プロセスカートリッジ５０は、駆動部２４によって回転駆動される構成の一つであり、駆動部２４に取り付けられて回転駆動力を供給されている。アンテナ２６は、ＲＦＩＤと通信を行うために設けられている。すなわち、アンテナ２６は、制御部２８と接続されて所定の電波を送受信することで、ＲＦＩＤに対するリーダライタとして機能している。制御部２８は、演算機能や記憶機能などを備えたハードウエアと、ハードウエア動作を規定するソフトウエア（プログラム）とによって構成されている。そして、アンテナ２６の送受信の制御の他、画像形成工程の制御や、ユーザ入出力の制御等の処理を行っている。
【００２１】
プロセスカートリッジ５０は、画像形成工程の一部を実施するための装置であり、プリンタ２０内に着脱可能に装着されている。プロセスカートリッジ５０は、図の左右方向に長くのびる細長形状をなしている。この細長方向は主走査方向であり、用紙搬送方向に直交して設置されている。そして、搬送される用紙に対し主走査方向にのびる帯画像を次々と形成することで、用紙全体に対する画像形成を行っている。図においては、プロセスカートリッジ５０が備える構成として、帯電器５２が示されている。この帯電器５２は、電源２２から電力供給を受けて画像形成工程の一部を実行している。また、プロセスカートリッジ５０には、図の上部にＲＦＩＤ５４が設けられている。ＲＦＩＤは、メモリ機能及び通信制御機能を備えたＩＣチップと、これに接続されたアンテナとからなる小型装置である。
【００２２】
図２は、主走査方向に垂直なある断面について、プロセスカートリッジ５０の主要部を模式的に示した図である。プロセスカートリッジ５０には、図１に示した帯電器５２の他、ドラム状の感光体６０、感光体６０の現像を行う現像部７０、感光体６０の清掃を行うクリーニング部８０が備えられている。
【００２３】
感光体６０は、主走査方向にのびるドラム状（円筒状）に形成されている。そして、駆動部２４によって回転駆動され、図において左回りに回転している。感光体６０は、その表面に電荷を蓄える必要があるため、金属や誘電物質等を用いて多層構造も持つように作られている。そして、以下に説明するように、画像形成工程の複数の工程に利用されている。
【００２４】
帯電器５２は、電気的機能部材であり、画像形成工程における帯電処理を行っている。すなわち、電源２２から電力供給を受けて動作し、感光体６０の表面に電荷を与えて均一に帯電させている。
【００２５】
帯電した感光体６０に対しては、プリンタ２０に設けられた図示していない露光手段によって画像形成工程の一つとしての露光処理が行われる。すなわち、露光手段は、電子データに基づく光ビームを照射して電荷量を変化させ、感光体６０の表面に静電潜像を形成する処理を行う。電子データは、外部装置から入力してもよいし、光学的読取装置（スキャナ）を設けて原画像から作成してもよい。読取装置が含まれる場合には、プリンタシステム１０は、複写機としての機能をもつことになる。
【００２６】
現像部７０は、画像処理工程における現像処理、すなわち静電潜像を現像する処理を行っている。現像部７０にはトナーケース７２が設けられており、トナーケース７２の内部には粉末のトナー７４が格納されている。また、トナーケース７２内には、攪拌ローラ７６と現像ローラ７８が設けられている。攪拌ローラ７６は回転によりトナー７４を攪拌するとともに現像ローラ７８に供給する役割を果たしている。一方、現像ローラ７８は、内部に円筒状に配された電磁石からなるマグネットロールを備えている。マグネットロールには電源２２から電力が供給され、現像ローラ７８はこの磁力により表面にトナーを吸着させる。そして、吸着されたトナーは現像ローラ７８の回転により感光体６０側に運ばれ、静電潜像を現像する。現像部７０あるいは現像ローラ７８は、このように電気的に画像形成処理を行う電気的機能部材である。
【００２７】
現像された画像は、画像処理工程における転写処理を受ける。すなわち、図示していない転写体に転写される。そして、転写体に転写された画像は、図示していない用紙搬送装置によって搬送された用紙に対し、再転写される。さらに画像が転写された用紙に対しては、定着ロールにより画像処理工程における定着処理が行われる。定着ロールは、用紙を加熱・加圧するロールである。用紙に転写された画像のトナーは、定着ロールによって溶融されて、用紙上に定着する。こうして画像が形成された用紙に対しては、後処理装置（フィニッシャ）を用いてホチキス止め、穴あけ、用紙の折り曲げ、製本等の後処理を行うことも可能である。
【００２８】
感光体６０の表面には、転写処理ののちにも若干のトナーが残っている。クリーニング部８０は、このトナーを清掃するための処理、すなわち画像形成工程における清掃処理を行う。クリーニング部８０は、骨格となる支持部８２、支持部８２に固定されたブレード受け８６、ブレード受け８６に取り付けられたクリーニングブレード８８を備えている。クリーニングブラシ８４は、円筒状のブラシであり、高速で回転しながら感光体６０の表面のトナーを掻き落とす。また、クリーニングブレード８８は、その先端の刃が感光体６０に押圧されて接しており、これにより、感光体６０の表面を清掃する。
【００２９】
このプロセスカートリッジ５０には、図１でも説明したように、ＲＦＩＤ５４が設けられている。ＲＦＩＤ５４は、クリーニング部８０の支持部８２に取り付けられている。この箇所は、プロセスカートリッジ５０の外表面であり、また、プリンタ２０に装着されるとアンテナ２６と近接する位置である。これにより、アンテナ２６との通信が良好に行われる。
【００３０】
本実施の形態において特徴的な点の一つは、ＲＦＩＤ５４が、電気的機能部材としての帯電器５２及び現像ローラ７８からみて、感光体６０の背後となる位置に設置されていることである。言い換えれば、ＲＦＩＤ５４と帯電器５２、あるいは、ＲＦＩＤ５４と現像ローラ７８を直線的に結んだ場合、両者の間に感光体６０が位置するように、それぞれの配置が定められている。これは、図示した場合においては、ＲＦＩＤ５４、帯電器５２、現像ローラ７８が、感光体６０とほぼ隣接する位置であって、ＲＦＩＤ５４と帯電器５２が感光体６０の周方向になす角αと、ＲＦＩＤ５４と現像ローラ７８感光体６０の周方向になす角βが、ともに約９０度以上となる位置に設けられていることで実現されている。
【００３１】
電気的機能部材としての帯電器５２及び現像ローラ７８からは、多少なりとも電気的なノイズが発生する。そして、このノイズは周囲の電磁場を乱し、時には電波として振る舞う。この結果、ＲＦＩＤ５４は、ノイズの影響を受けることになる。しかし、ここで説明した構成によれば、このノイズの影響を低減することができる。感光体６０は、導体でできた円筒であるとみなすことができ、電波の遮蔽効果を有していると考えられるからである。
【００３２】
続いて、図３を参照して、ＲＦＩＤ５４の通信に係る情報処理例を説明する。図３は、本実施の形態に特徴的な情報処理の流れを示す機能ブロック図である。ここでは、例えば感光体６０の制御処理のような一般的な機能については省略している。また、図１，２と共通する機能あるいは部材については、簡単のため同一の符号を付すものとする。
【００３３】
図３では、プロセスカートリッジ５０、プリンタ２０、及び後処理装置装置としてのフィニッシャ１００について図示している。プロセスカートリッジ５０には、図２で説明したようにＲＦＩＤ５４、帯電器５２、現像ローラ７８が含まれている。ＲＦＩＤ５４は、アンテナ１１０、通信処理部１１２、及びメモリとしての記憶部１１４を備えている。通信処理部１１２は演算機能を備えるハードウエアと、その動作を規定するソフトウエアとから構成されている。そして、アンテナ１１０を通じたデータの送受信を制御するとともに、適宜記憶部１１４にアクセスしてデータの読み書きを行っている。記憶部１１４には、プロセスカートリッジ５０の型番、製造番号、製造年月日などの属性情報、販売ルート等の流通情報、性能試験結果等の特性情報などの各種情報が記憶されている。こうした情報は、プリンタ２０内で読み込み可能である他、製造過程、流通段階、リサイクル段階等においてもリーダライタ装置を用いて読み込むことができる。また、記憶部１１４に対しては、追加的に情報を書き込んだり、既にある情報を書き耐えたりすることも可能である。
【００３４】
プリンタ２０には、アンテナ２６、制御部２８、電源２２、駆動部２４、読取装置１２０、用紙搬送装置１２２が含まれている。読取装置１２０は、光ビームを原画像が形成された原稿に照射し、その反射光を解析することで原画像を読み取る電気機器である。また、用紙搬送装置１２２は、用紙を給紙トレイからフィニッシャ１００に次々と搬送する装置である。用紙はその途中で転写処理と定着処理をうけて画像形成される。また、読取装置１２０のための搬送路が設けられる場合もある。用紙搬送装置１２２は、基本的にはモータ動力によって駆動される電気機器である。なお、用紙の搬送時には、摩擦帯電によるノイズがランダムに発生する。そして、この電気的エネルギーは比較的大きく、ＲＦＩＤ５４の動作に影響を与える虞がある。フィニッシャ１００は、画像形成を終えた用紙に対し、後処理工程としての穴あけやホッチキス閉じ等を行う電気機器である。フィニッシャ１００は、プリンタシステム１０を構成する装置であり、プリンタ２０における画像形成と連動して動作する。
【００３５】
制御部２８には、通信処理部１３０、画像形成制御部１３２、動作判定部１３４が含まれている。通信処理部１３０は、アンテナ２６を通じたデータの送受信を管理する。つまり、プロセスカートリッジ５０のＲＦＩＤ５４との送受信を管理・制御している。画像形成制御部１３２は、画像形成に係る各構成を制御している。その制御対象としては、露光処理や定着処理など様々な処理構成が挙げられる。注目すべき点は、制御対象には電気的なノイズを生じやすい構成が含まれることである。具体的には、図示したように、プロセスカートリッジ５０に含まれる電気的機能部材としての帯電器５２、現像ローラ７８、プリンタ２０内に含まれる電気機器としての電源２２、駆動部２４、読取装置１２０、用紙搬送装置１２２、そしてプリンタシステム１０を構成する電気機器としてのフィニッシャ１００等がこれに相当する。
【００３６】
動作判定部１３４は、電気的機能部材や電気機器が動作中か否かの情報を取得する検知手段としての機能を有している。また、取得した情報を基に、通信処理部１３０の通信可能タイミングの判定を行う機能も備えている。これにより、通信処理部１３０は、電気的ノイズの影響を受けないタイミング、あるいは、低減されたタイミングでの通信が可能となり、高い通信信頼性を確保できる。
【００３７】
動作判定部１３４の処理としては、例えば次のような態様を挙げることができる。まず、通信処理部１３０は、送受信を行おうとする際に動作判定部１３４に対し良好な通信状態が確保できるか否かを問い合わせる。問い合わせがあると、動作判定部１３４は画像形成制御部１３２に対し、現在進行中の処理についての確認を行う。すなわち、電気的ノイズを発生する虞がある電気的機能部材や電気機器が動作中であるか否かの情報を取得する。そして、その取得した情報に基づいて、通信処理部１３０に対し、通信可能である旨あるいは通信を待つべきである旨の回答を与える。通信を待つべきか否かは、例えば、実験等を行って、動作中の電気的機能部材や電気機器とノイズ発生量との対応を示したルックアップテーブルを作成・記憶しておき、それを参照することで決定できる。対応の関係の例としては、複数の電気的機能部材や電気機器が動作中の場合には通信を待つ態様や、ノイズ発生レベルの小さな電気的機能部材や電気機器が一つだけ動作している場合には通信を許す態様を挙げることができる。
【００３８】
動作判定部１３４は、通信が可能か否かの判定だけでなく、通信が可能でない場合に、何秒後に通信するのがよいといった見込情報を算出してもよい。見込情報の算出は、可能な限りにおいて電気的機能部材や電気機器の動作スケジュールを取得し、その未来の各時刻における通信状況を判定するなどして行いうる。あるいは、動作判定部１３４に対し、事後的に通信状態が良好であったか否かを判定させ、状態が悪かった場合に再度通信を行わせるようにしてもよい。
【００３９】
通信タイミングの判定等にあたっては、電気的機能部材や電気機器が単に動作しているか否かといった情報に基づくだけでなく、これらが電気的ノイズを発生させやすい動作を行っているか否かという情報に基づくことも有効である。例えば、電気的機能部材や電気機器においては、その動作開始時や停止時に消費電力が急激に変化して電気的ノイズが発生させる可能性があり、そのタイミングを検知することでノイズ対策効果を高めることができる。逆に、例えば、用紙搬送装置１２２のように、用紙搬送中においては、搬送される用紙にランダムにノイズが発生するような装置の場合には、その動作期間全体を通じて通信を回避することも必要となる。もちろん、この場合においても、用紙の位置とＲＦＩＤとの距離が遠い場合には、通信を許可するなど、ノイズの影響の度合いを詳細に吟味して通信タイミングを決定することができる。
【図面の簡単な説明】
【００４０】
【図１】ＲＦＩＤを取り付けたプロセスカートリッジと、それが装着されたプリンタについての模式図である。
【図２】プロセスカートリッジにおけるＲＦＩＤの取り付け位置を説明する図である。
【図３】ＲＦＩＤとの通信タイミングについての制御構成を示すブロック図である。
【符号の説明】
【００４１】
１０  プリンタシステム、２０  プリンタ、２２  電源、２４  駆動部、２６  アンテナ、２８  制御部、５０  プロセスカートリッジ、５２  帯電器、５４  ＲＦＩＤ、６０  感光体、７０  現像部、７２  トナーケース、７４  トナー、７６  攪拌ローラ、７８  現像ローラ、８０  クリーニング部、８２  支持部、８４  クリーニングブラシ、８６  ブレード受け、８８  クリーニングブレード、１００  フィニッシャ、１１０  アンテナ、１１２  通信処理部、１１４  記憶部、１２０  読取装置、１２２  用紙搬送装置、１３０  通信処理部、１３２  画像形成制御部、１３４  動作判定部。
【図１】
2006084988.tif 000003
【図２】
2006084988.tif 000004
【図３】
2006084988.tif 000005